(57)【要約】      （修正有）【課題】簡単な構造で電池等の電源を必要とせず、複数種類の魚をそれぞれ個別にカウント可能な釣り用カウンターを提供する。【解決手段】釣り用カウンターは、表または表裏両面に桁線および梁線からなる算盤形式の罫線を引いた磁性体からなる基板１０と、基板に吸着したまま移動可能な複数の磁石玉１８，１９から成る。複数の磁石玉は色および形状の内の少なくとも一方が異なる複数種類の磁石玉から成る。基板の側面にコの字状の側板を付け、側板の外面にスケール目盛りをつけてもよい。釣り用カウンター１台で多種類の魚種を計数できる。また、構造が簡単で廉価で容易に製造でき、汚れても簡単に水洗いができる。更に、釣り用カウンターの側面を魚に当てて回転させることにより、釣った魚のサイズを計測できる。【選択図】図１
0003146906.tif 000002
【実用新案登録請求の範囲】
【請求項１】
表または表裏両面に桁線および梁線からなる算盤形式の罫線を引いた磁性体からなる基板と、前記基板に吸着したまま移動可能な複数の磁石玉から成ることを特徴とする釣り用カウンター。
【請求項２】
前記複数の磁石玉は色および形状の内の少なくとも一方が異なる複数種類の磁石玉からなることを特徴とする請求項１に記載の釣り用カウンター。
【請求項３】
前記基板の前面にスケール目盛りをつけたことを特徴とする請求項１に記載の釣り用カウンター。
【請求項４】
前記基板の側面にコの字状の側板を付け、前記側板の外面にスケール目盛りをつけたことを特徴とする請求項１に記載の釣り用カウンター。
【請求項５】
更に、前記側板付きの基板を収納するプラスチック製のケースを備えたことを特徴とする請求項４に記載の釣り用カウンター。
【考案の詳細な説明】
【技術分野】
【０００１】
本考案は、釣り用カウンターに関し、特に、簡単な構造で電池等の電源を必要とせず、複数種類の魚をそれぞれ個別にカウント可能な釣り用カウンターに関するものである。
【背景技術】
【０００２】
魚釣り中、その時点での釣果は釣りに夢中になっていて覚えていることが困難である。そこで、例えば船釣り等において使用される釣果を計数するカウンターとして各種のものが提案されている。例えば下記の特許文献１には、太陽電池を備え、電子的に釣果をカウントするカウンターが記載されている。
【特許文献１】実用新案登録第３０４１８４７号公報
【考案の開示】
【考案が解決しようとする課題】
【０００３】
前記したような従来の電子式の釣果カウンターは既に市販されているが、値段が高く、使用後に水洗いができない、魚種ごとの計数が困難である、誤ってオールクリヤーキーを押すと復元不能である、落下等により誤入力、故障、破損しやすいなどの問題点があった。
【０００４】
本考案の目的は、上記した従来例の問題点を解決し、簡単な構造で電池等の電源を必要とせず、複数種類の魚をそれぞれ個別にカウント可能な釣り用カウンターを提供することにある。
【課題を解決するための手段】
【０００５】
本考案の釣り用カウンターは、表または表裏両面に桁線および梁線からなる算盤（そろばん）形式の罫線を引いた磁性体からなる基板と、前記基板に吸着したまま移動可能な複数の磁石玉から成ることを主要な特徴とする。
【０００６】
また、前記した釣り用カウンターにおいて、前記複数の磁石玉は色および形状の内の少なくとも一方が異なる複数種類の磁石玉からなる点にも特徴がある。また、前記した釣り用カウンターにおいて、前記基板の前面にスケール目盛りをつけた点にも特徴がある。
【０００７】
また、前記した釣り用カウンターにおいて、前記基板の側面にコの字状の側板を付け、前記側板の外面にスケール目盛りをつけた点にも特徴がある。また、前記した釣り用カウンターにおいて、更に、前記側板付きの基板を収納するプラスチック製のケースを備えた点にも特徴がある。
【考案の効果】
【０００８】
本考案の釣り用カウンターは以下のような利点がある。
（１）複数種類のデータを入力、保持、更新できるため、本考案の釣り用カウンター１台で多種類の魚種を計数できる。
（２）構造が簡単で廉価で容易に製造でき、汚れても簡単に水洗いができる。
【０００９】
（３）利用者に算盤の加減計算が出来る能力があれば、正確なカウントができる。
（４）魚を釣り上げた後、餌を付け、海中に投入して予定の棚まで沈む間に簡単に入力できる。
（５）スチール等の金属製のため、ある程度の重量があり、荒波や強風で吹き飛ばされない。
【００１０】
（６）磁石が基板に吸着しているために玉が動き難く、算盤の所謂「ご破算」の事故が起き難い。
（７）本考案の釣り用カウンターの側面を魚に当てて回転させることにより、釣った魚のサイズを計測できる。
【考案を実施するための最良の形態】
【００１１】
以下、図面に従って、考案を実施するための最良の形態について説明する。
【実施例１】
【００１２】
図１は、本考案の釣り用カウンターの表面の構成を示す斜視図である。また、図２は、本考案の釣り用カウンターの裏面の構成を示す斜視図である。更に、図３は、本考案の釣り用カウンターの構成を示す側面図、平面図である。
【００１３】
本考案の釣り用カウンターは、鉄やニッケルなどの磁性体の金属板からなる基板１０およびこの基板１０に吸着する複数の磁石玉１８、１９、２０からなる。基板１０は例えば８ｃｍ×８ｃｍ程度の長方形あるいは正方形の板であり、防錆のために塗装されている。
【００１４】
算盤の五珠と一珠の境の横板を「梁」、珠を通す棒を「桁」というが、基板１０の表面および裏面には図示するように算盤の五珠と一珠の境の横板を示す梁線１２および桁を示す桁線１３が描かれている。なお、磁石１８、１９、２０が梁線１２あるいは桁線１３を超えて移動しないように梁線１２あるいは桁線１３が隆起していてもよい。
【００１５】
基板１０の前方には例えば１ｃｍおきに目盛り線１５が描かれている。基板１０の前方を除く３方の側面には側板１１が溶接、ハンダ付けあるいは接着剤により固着されている。そして、側板１１の外側の３つの側面には連続して例えば１ｃｍおきに目盛り線１４、３０が描かれている。
【００１６】
磁石１８、１９、２０は例えば黄色、青、赤等に塗装された複数の磁石である。形状は例えば直径が５ｍｍ程度の平たい円筒形であってもよい。色および形が同一の種類の磁石の数は例えば１５個あれば１０進数で３桁の表示が可能である。但し、予備を含めて２０個程度備えている方が好ましい。
【００１７】
磁石１８〜２０の水平断面形状は例えば円の他、楕円、長方形、正方形、三角形などを採用可能である。色および形の組み合わせにより決まる磁石の種類は例えば４種類あれば基板１０の表面および裏面に２種類づつ配置することによって同時に４種類の魚を計数可能である。
【００１８】
次に、本考案の釣り用カウンターの使用方法について説明する。図１、２の使用例は、黄色、青、赤の３種類の磁石玉を使用して、表で２種類、裏で１種類の魚をカウントしている例である。
【００１９】
この場合には、まず、基板１０の表側に黄色および青の磁石玉をそれぞれ１５個づつ吸着させ、黄色の磁石玉１８を３本の桁線１３の左側に、青の磁石玉１９を３本の桁線１３の右側に、桁線１３に沿ってそれぞれ５個ずつ配置する。
【００２０】
そして、５個の磁石玉の内の１個は梁線１２の更に上側に寄せ、残りの４個は下方に寄せて、算盤における「ご破算」と同じ位置に磁石玉を配置する（図１の最も左側の桁線１３の左側の黄磁石玉１８の配置）。
【００２１】
図２に示す基板１０の裏側には赤の磁石玉２０を１５個づつ吸着させ、３本の桁線１３の上にそれぞれ５個ずつ配置する。そして、５個の磁石玉の内の１個は梁線１２の更に上側に寄せ、残りの４個は下方に寄せて、算盤における「ご破算」と同じ位置に磁石玉を配置する。これで計数準備が完了する。
【００２２】
計数は、魚が釣れるたびに、算盤と同じ要領で、魚種と対応する種類（色）の磁石玉を現在の値に１を足した値となるように上下に動かす。また、計数値は常時表示されており、図１、２の例では表側の黄磁石玉１８の計数値が５３、青磁石玉１９の計数値が１３７、裏側の赤磁石玉２０の計数値が１３７である例を示している。
【００２３】
なお、磁石玉として強力な磁石を使用すれば、落下等によって計数値が不明になり難くすることが可能である。また、実施例においては、その桁に相当する２種類の磁石玉を桁線の左右に配置する例を開示したが、２本の桁線の間を１つの桁として利用してもよいし、多数の桁線１３を設けて、魚種毎に桁線の範囲を分け、範囲内では図２に示すように１種類の計数を行ってもよい。
【００２４】
魚の体長を計測する場合には、例えば本考案の釣り用カウンターの側面の長さが例えばちょうど８ｃｍとなっており、かつ３つの側面および基板の前面に目盛りが描かれているので、例えば側面の前端部を魚の端部に合わせ、魚の上において釣り用カウンターを縦に転がすことにより、任意の長さの魚の体長を計測することができる。
【００２５】
以上、実施例について開示したが、本考案には以下のような変形例も考えられる。夜釣り用に蛍光塗料により塗装した磁石玉を使用してもよく、桁線、梁線、目盛りも蛍光塗料により描いてもよい。
【００２６】
実施例においては、表裏両方に梁線１２および桁線１３を描く実施例を開示したが、裏面には梁線１２および桁線１３は描かず、磁石玉のストック用に使用してもよい。
【００２７】
側板１１付きの基板１０を収納する透明なプラスチック製のケース、あるいは表面を覆う回動式の透明な蓋を備えていてもよい。。
【産業上の利用可能性】
【００２８】
本考案の釣り用カウンターは釣りに限らず、植物採取、動植物の観測、その他操作環境が劣悪な状態で複数種類を計数する作業に有用である。
【図面の簡単な説明】
【００２９】
【図１】本考案の釣り用カウンターの表面の構成を示す斜視図である。
【図２】本考案の釣り用カウンターの裏面の構成を示す斜視図である。
【図３】本考案の釣り用カウンターの構成を示す側面図、平面図である。
【符号の説明】
【００３０】
１０    基板
１１    側板
１２    梁線
１３    桁線
１４    側板の目盛り
１５    基板の目盛り
１８    黄磁石玉
１９    青磁石玉
２０    赤磁石玉
【図１】
0003146906.tif 000003
【図２】
0003146906.tif 000004
【図３】
0003146906.tif 000005